(57)【特許請求の範囲】
【請求項１】
プリザーブド処理されたプリザーブドフラワーを、全体の花形状を維持した状態で一部の花弁を取り外し、その取り外した箇所に、取り外した花弁の代わりに人工花弁および／または異種花弁を取り付けたことを特徴とするプリザーブドフラワー装飾体。
【請求項２】
プリザーブド処理されたプリザーブドフラワーの花弁を取り外し、少なくとも花弁を取り外したところに、取り外した花弁と人工花弁および／または異種花弁とを取り付けたことを特徴とするプリザーブドフラワー装飾体。
【請求項３】
上記プリザーブドフラワーの花弁を花芯部近傍を残した状態で取り外し、上記花弁を取り外した花芯部近傍の周囲に取り外した花弁と人工花弁および／または異種花弁とを取り付けた際に、取り付けた人工花弁および／または異種花弁の分だけ取り外した花弁の取り付け数を減らす請求項２記載のプリザーブドフラワー装飾体。
【請求項４】
上記人工花弁は、紙、布、樹脂フィルム、不織布、フェルト等のシート状の材料を花弁状に成形したものである請求項１〜３のいずれか一項に記載のプリザーブドフラワー装飾体。
【発明の詳細な説明】
【技術分野】
【０００１】
本発明は、プリザーブド処理されたプリザーブドフラワーを利用したプリザーブドフラワー装飾体に関するものである。
【背景技術】
【０００２】
従来より、生花をアレンジして室内装飾等に利用することが広く行われている。このような生花によるフラワーアレンジメントは、絶えず水を与え、傷みが出た部分を除去する等のメンテナンスが必要である。このようなメンテナンスを行ったとしても、生物なのでその寿命は１週間からせいぜい長くても１ヶ月程度が限度である。
【０００３】
このように生花では、メンテナンスが必要なうえに鑑賞期間が短いことから、ドライフラワーや造花によるフラワーアレンジメントも行われている。ところが、ドライフラワーや造花では、生花とは外観が異なり、場合によっては安っぽい印象を与えてしまうこともある。
【０００４】
そこで、最近では、生花と同様な外観で長期間の鑑賞にたえるプリザーブドフラワーによるフラワーアレンジメントが普及してきた。プリザーブドフラワーは、生花を脱水したのちポリエチレングリコールのような薬液を含浸させて防腐処理を行い、さらに必要に応じて染色を施すことにより、生花と同様の外観で極めて長持ちさせることができるものである。
【先行技術文献】
【特許文献】
【０００５】
【特許文献１】特開２００９−１０１６２３号
【特許文献２】特開２００６−１６８０９１号
【特許文献３】実用新案登録第３１２９４２７号
【特許文献４】特開２００６−６９１２４号
【特許文献５】特開２００８−９３９３４号
【発明の概要】
【発明が解決しようとする課題】
【０００６】
従来のプリザーブドフラワーでは、生花と同様の外観を呈するだけで生花の代用品としての価値しかなかった。そこで、プリザーブドフラワーをそのまま装飾に使用するのではなく、各種の工夫を凝らしたアレンジを施したものが考案されている。
【０００７】
例えば、プリザーブドフラワー自体には特に加工を施さず、各種の装飾付加することにより装飾性を持たせるものとして、上記特許文献１には、プリザーブドフラワーに水引をアレンジしたものが開示され、上記特許文献２には、プリザーブドフラワーにオーストリア風工芸をアレンジしたものが開示されている。また、上記特許文献３には、プリザーブドフラワーの花弁等の花冠部をそのまま利用し、それ以外の茎や葉に人工部材を用いて組み合わせたものが開示されている。さらに、上記特許文献４には、プリザーブドフラワーのすべての花弁を１枚ずつ分離した後、花弁を上下逆にしたり裏返しにしたりして再び接着固定するものが開示されている。
【０００８】
しかしながら、上記特許文献１および特許文献２記載のものは、プリザーブドフラワー自体はそのまま利用するため、装飾効果は、プリザーブドフラワーに付加する装飾物のそれに頼ってしまうこととなり、プリザーブドフラワー自体のアレンジとしては面白みに欠けるものである。また、特許文献３記載のものについても、花冠部はプリザーブドフラワー自体をそのまま利用し、茎や葉に人工部材を用いるだけであり、装飾効果を向上させるものではない。さらに、特許文献４記載のものは、プリザーブドフラワーのすべての花弁を１枚ずつバラバラに分離しなければならず、その後に、バラバラの花弁を上下逆にしたり裏返しにしたりアレンジしながら再び接着固定するのであって、製作作業に極めて手間がかかる。しかも、バラバラに分離した花弁を再び利用するだけであって、結局使用するのはもとの花弁であるため、製作作業に極めて手間がかかるわりに、それほどの装飾効果が得られるものでもない。
【０００９】
本発明は、上記課題を解決するためになされたものであり、極めて簡単な製作工程により、多様なフラワーアレンジメントが可能で、従来以上の高い装飾効果が得られるプリザーブドフラワー装飾体を提供することをその目的とする。
【課題を解決するための手段】
【００１０】
上記の目的を達成するため、本発明の第１のプリザーブドフラワー装飾体は、プリザーブド処理されたプリザーブドフラワーを、全体の花形状を維持した状態で一部の花弁を取り外し、その取り外した箇所に、取り外した花弁の代わりに人工花弁および／または異種花弁を取り付けたことを要旨とする。
【００１１】
上記の目的を達成するため、本発明の第２のプリザーブドフラワー装飾体は、プリザーブド処理されたプリザーブドフラワーの花弁を取り外し、少なくとも花弁を取り外したところに、取り外した花弁と人工花弁および／または異種花弁とを取り付けたことを要旨とする。
【発明の効果】
【００１２】
本発明の第１のプリザーブドフラワー装飾体は、従来のように、花弁を全部バラバラにしてそれを再びアレンジしながら接着するのではなく、プリザーブドフラワーの一部の花弁を全体の花形状を維持した状態で取り外し、その取り外した箇所に代わりに人工花弁や異種花弁を取り付けることから、極めて簡単な製作工程により多様なフラワーアレンジメントが可能となる。しかも、その一部にアクセントとして人工花弁や異種花弁を用いることが可能となることから、従来になかった極めて高い装飾効果が得られるものとなる。
【００１３】
本発明の第２のプリザーブドフラワー装飾体は、従来のように、花弁を全部バラバラにしてそれを再びアレンジしながら接着するのではなく、プリザーブド処理されたプリザーブドフラワーの花弁を取り外し、少なくとも花弁を取り外したところに、取り外した花弁と人工花弁および／または異種花弁とを取り付けることから、極めて簡単な製作工程により多様なフラワーアレンジメントが可能となる。しかも、全体の花形状を維持しながらその一部にアクセントとして人工花弁や異種花弁を用いることが可能となることから、従来になかった極めて高い装飾効果が得られるものとなる。
【００１４】
本発明の第２のプリザーブドフラワー装飾体において、上記プリザーブドフラワーの花弁を花芯部近傍を残した状態で取り外し、上記花弁を取り外した花芯部近傍の周囲に取り外した花弁と人工花弁および／または異種花弁とを取り付けた際に、取り付けた人工花弁および／または異種花弁の分だけ取り外した花弁の取り付け数を減らす場合には、細かい花弁が多くて復元が困難な花芯に近い部分について花弁を取り外さないで残すことから、極めて簡単な製作工程により多様なフラワーアレンジメントが可能となる。しかも、アクセントとして人工花弁や異種花弁を取り混ぜてとり外した花弁を取り付けることができる。そのうえ、取り付けた人工花弁および／または異種花弁の分だけ取り外した花弁の取付け数を減らすことにより、全体として元の花形状を維持することが可能となるうえ、傷んだ花弁があるときにそれを除去して人工花弁および／または異種花弁に取り替えることが可能となり、従来になかった極めて高い装飾効果が得られるものとなる。
【００１５】
本発明において、上記人工花弁は、紙、布、樹脂フィルム、不織布、フェルト等のシート状の材料を花弁状に成形したものである場合には、全体の花形状を維持しながらその一部にアクセントとして各種の素材による人工花弁が用いられることから、従来になかった極めて高い装飾効果が得られるものとなる。
【図面の簡単な説明】
【００１６】
【図１】本発明の第１実施形態のプリザーブドフラワー装飾体を説明する図である。
【図２】本発明の第２実施形態のプリザーブドフラワー装飾体を説明する図である。
【図３】本発明の第３実施形態のプリザーブドフラワー装飾体を説明する図である。
【発明を実施するための形態】
【００１７】
以下、本発明のプリザーブドフラワー装飾体の実施形態について、図面を参照して詳細に説明する。
【００１８】
図１は、第１実施形態におけるプリザーブドフラワー装飾体を説明する図である。
【００１９】
図１（Ａ）は加工前のプリザーブドフラワーを示し、図において符号１は、プリザーブドフラワー本体である。この例では、上記プリザーブドフラワー本体１として、バラを適用した例を示している。
【００２０】
このプリザーブドフラワー本体１は、生花であるバラの花冠部分を、細胞組織内の水（組織水）を脱水したのちポリエチレングリコールを浸透させ、組織水をポリエチレングリコールで置換する防腐処理（プリザーブド処理）を行う。その後所定の染色を施すことによりプリザーブドフラワー本体１を形成する。
【００２１】
図１（Ｂ）は、一部の花弁を取り外した状態を示す。上記プリザーブド処理されたプリザーブドフラワーは、全体の花形状を維持した状態で一部の花弁を取り外すことが行われる。この例では、図１（Ａ）において符号Ｒで示した３枚の花弁が取り外し対象の花弁であり、これら取り外し対象の花弁Ｒを取り外した状態が図１（Ｂ）である。図１（Ｂ）において、取り外した花弁Ｒが存在していた箇所を一点鎖線で示している。
【００２２】
図１（Ｃ）は、人工花弁２を取り付けた本実施形態のプリザーブドフラワー装飾体３である。上記取り外し対象の花弁Ｒを取り外した箇所に、取り外した花弁Ｒの代わりに人工花弁２および／または異種花弁を取り付けることが行われる。人工花弁２および／または異種花弁の取り付けは、例えば接着剤によって接着固定することが行われる。
【００２３】
取り外す花弁Ｒの数すなわち人工花弁２および／または異種花弁の数は、１つのプリザーブドフラワー本体１に対して１つでも複数でもよいが、配置のバランスをみながら複数としたほうがより装飾性が高くなる。
【００２４】
複数の花弁Ｒを取り外してそこに人工花弁２や異種花弁を取り付ける際は、花の厚み方向（図の例では紙面に垂直な方向である）に重なるように隣接した花弁Ｒを複数枚連続して取り外さないほうがよい。このように隣接した花弁を複数枚連続して取り外すと、取り外した部分が大きな空隙となってそこに人工花弁２や異種花弁を取り付ける作業が行ないにくくなるおそれがあるとともに、プリザーブドフラワー本体１の全体の花形状が崩れやすくなるおそれもあるからである。
【００２５】
上記人工花弁２としては、例えば、紙、布、樹脂フィルム、不織布、フェルト等のシート状の材料を花弁状に成形したものとすることができる。
【００２６】
上記布としては、例えば、無地の布地、柄織物、プリント地等、各種のものを適用でき、素材としても綿、絹、ウール、麻等の天然繊維だけでなく、レーヨン、ポリエステル等の半合成繊維や合成繊維、これらの混紡品等を使用することができる。具体的には、レース地を使用すれば洋風のテイストを表現でき、縮緬地を使用すれば和風のテイストを加味することができ、チェックやストライプ等の柄物を使用すればまた変化に富んだテイストを表現することができる。
【００２７】
上記紙としては、各種の西洋紙、和紙等を使用することができ、さらに、各種の樹脂フィルム、不織布、フェルト等のシート状の素材を使用することができる。これらのシート状素材は、各種のプリントやエンボス加工等が施されたものを使用することにより、変化に富んだ多様なテイストを表現することができる。
【００２８】
このように、各種のシート状素材を使用することにより、全体の花形状を維持しながらその一部にアクセントとして各種の素材による人工花弁２が用られることから、従来になかった極めて高い装飾効果が得られるものとなる。
【００２９】
上記異種花弁としては、例えば、プリザーブドフラワー本体１がバラであれば、バラ以外の種類の花をプリザーブド処理したプリザーブドフラワーの花弁を取り外して本発明の異種花弁として使用することができる。このとき、上記異種花弁は、取り外したそのままの状態で使用することもできるし、適当な大きさ形状にカットして使用することもできる。
【００３０】
上述したように、プリザーブドフラワー本体１から一部の花弁Ｒを取り外したところに、人工花弁２だけを取り付けてもよいし、人工花弁２と異種花弁を取り混ぜて取り付けるようにしてもよい。人工花弁２だけを取り付けるにしても、同じ種類で同じ色柄の人工花弁２を取り付けても良いし、異なる種類や異なる色柄の人工花弁２を取り付けても良い。
【００３１】
図２は、第２実施形態におけるプリザーブドフラワー装飾体を説明する図である。
【００３２】
すなわち、例えば、プリザーブドフラワー本体１から、花芯部の花弁を残してその他の半分ないし７割程度の花弁Ｒを取り外し、少なくともその花弁Ｒを取り外したところに、取り外した花弁Ｒと人工花弁２を取り混ぜて取り付けるようにすることもできる。このとき、人工花弁２を取り付けることにより、元のプリザーブドフラワーの花弁の数よりトータルの花弁の数を増加させることも可能である。このようにすることにより、多様なフラワーアレンジメントが可能となるうえ、花にボリュームを持たせて装飾効果を高めることも可能となる。特に、バラバラにしにくい花芯部をそのまま使用するため、従来に比べて製造工程が大幅に簡略化される。
【００３３】
このように、上記プリザーブドフラワーの花弁を花芯部近傍を残した状態で取り外し（図２（Ａ））、上記花弁を取り外した花芯部近傍の周囲に、取り外した花弁Ｒと人工花弁２および／または異種花弁とを取り付けてもよい。残した花芯部の周囲に取り外した花弁Ｒと人工花弁２および／または異種花弁を取り混ぜて取り付けるときに、元の花形状を維持するように順次取り付けるのが好ましい（図２（Ｂ））。こうすると、取り付けた人工花弁および／または異種花弁の分だけ元々取り付いていた花弁Ｂが余るが、それを元の花形状を維持した周囲にさらに取り付けて全体のボリュームをアップすることもできる（図２（Ｃ））。元の花形状を維持した周囲に、元々ついていた花弁Ｂと人工花弁２および／または異種花弁を取り混ぜて取り付けることも可能である。
【００３４】
このようにした場合には、細かい花弁が多くて復元が困難な花芯に近い部分について花弁を取り外さないで残すことから、極めて簡単な製作工程により多様なフラワーアレンジメントが可能となる。しかも、その周囲にアクセントとして人工花弁２や異種花弁を取り混ぜた状態で取り外した花弁を取り付けることにより、全体のボリューム感がアップして、従来になかった極めて高い装飾効果が得られるものとなる。
【００３５】
以上のように、本実施形態のプリザーブドフラワー装飾体３は、従来のように、花弁を全部バラバラにしてそれを再びアレンジしながら接着するのではなく、全体の花形状を維持した状態でプリザーブドフラワーの一部の花弁Ｒを取り外し、その取り外した箇所に代わりに人工花弁２や異種花弁を取り付けることから、極めて簡単な製作工程により多様なフラワーアレンジメントが可能となる。しかも、全体の花形状を維持しながらその一部にアクセントとして人工花弁２や異種花弁が用いられることから、従来になかった極めて高い装飾効果が得られるものとなる。
【００３６】
また、従来のように、花弁を全部バラバラにしてそれを再びアレンジしながら接着するのではなく、プリザーブド処理されたプリザーブドフラワーの花弁を取り外し、取り外した花弁と人工花弁および／または異種花弁とを取り付けることから、極めて簡単な製作工程により多様なフラワーアレンジメントが可能となる。しかも、全体の花形状を維持しながらその一部にアクセントとして人工花弁や異種花弁を用いることが可能となることから、従来になかった極めて高い装飾効果が得られるものとなる。
【００３７】
図３は、第３実施形態におけるプリザーブドフラワー装飾体を説明する図である。
【００３８】
図３（Ａ）は加工前のプリザーブドフラワーを示しており、図１と同様の部分に同じ符号を付している。
【００３９】
図３（Ｂ）は、一部の花弁を取り外した状態を示す。この実施形態では、上記プリザーブドフラワーの花弁Ｒを花芯部近傍を残した状態で取り外している。図２（Ｂ）において、取り外した花弁Ｒが存在していた箇所を一点鎖線で示している。
【００４０】
図３（Ｃ）は、人工花弁２と、一旦取り外した花弁Ｒを取り付けた第２実施形態のプリザーブドフラワー装飾体３である。上記花弁Ｒを取り外した花芯部近傍の周囲に、取り外した花弁Ｒと人工花弁２とを取り混ぜて取り付けている。このとき、取り付けた人工花弁２の分だけ取り外した花弁Ｒの取り付け数を減らしている。すなわち、この例では、人工花弁２を５枚取り付けているので、一旦取り外した花弁Ｒのうち取り付けた人工花弁２の数５枚だけ、一旦取り外した花弁Ｒを取り付けずに余らせているのである。
【００４１】
このようにすることにより、細かい花弁が多くて復元が困難な花芯に近い部分について花弁を取り外さないで残すことから、極めて簡単な製作工程により多様なフラワーアレンジメントが可能となる。しかも、アクセントとして人工花弁２や異種花弁を取り混ぜてとり外した花弁を取り付けることができる。そのうえ、取り付けた人工花弁２および／または異種花弁の分だけ取り外した花弁の取付け数を減らすことにより、全体として元の花形状を維持することが可能となるうえ、傷んだ花弁があるときにそれを除去して人工花弁２および／または異種花弁に取り替えることが可能となり、従来になかった極めて高い装飾効果が得られるものとなる。
【００４２】
なお、上述した説明では、プリザーブドフラワー本体１としてバラのプリザーブドフラワーを使用した例を示したが、使用する花の種類としては、特に限定するものではなく、各種の花を用いることができる。
【００４３】
また、上述した説明では、１枚の花弁Ｒを取り外したところに１枚の人工花弁２および／または異種花弁を取り付ける例を説明した。このようにすることにより、花の全体形状のバランスが崩れなくて好ましいのではあるが、これに限定するものではなく、１枚の花弁Ｒを取り外したところに複数枚の人工花弁２および／または異種花弁を取り付けるようにすることもできる。
【符号の説明】
【００４４】
１：プリザーブドフラワー本体
２：人工花弁
３：プリザーブドフラワー装飾体
Ｒ：取り外し対象の花弁
Ｂ：取り付いていた花弁
【図１】
0005474494.tif 000002
【図２】
0005474494.tif 000003
【図３】
0005474494.tif 000004